(57)【要約】【課題】キーボードを支える支持力を維持して、装置を軽量化することができる電子機器を提供する。【解決手段】端縁にコネクタが搭載されるとともに、コネクタを補強する金属部材を備えた回路基板と、回路基板を収容し、上面にキーボード配置用の第１の開口が形成されるとともに側面に相手コネクタとの嵌合用の第２の開口を有する筐体と、第１の開口から外部に現れた、上面に複数のキーが配置されたキーボードとを備え、金属部材が、コネクタを補強するとともに、キーボードの下にまで延在してキーボード下面の一部を支持する。【選択図】        図２０
2010067193.tif 000002
【特許請求の範囲】
【請求項１】
端縁に、嵌合面が外側を向いたコネクタが搭載されるとともに、該コネクタを補強する金属部材を備えた回路基板と、
前記回路基板を収容し、上面にキーボード配置用の第１の開口が形成されるとともに側面に該回路基板に搭載されたコネクタ嵌合面に対面した、相手コネクタとの嵌合用の第２の開口を有する筐体と、
前記第１の開口から外部に現れた、上面に複数のキーが配置されたキーボードとを備え、
前記金属部材が、前記コネクタを補強するとともに、前記キーボードの下にまで延在して該キーボード下面の一部を支持するものであることを特徴とする電子機器。
【請求項２】
前記金属部材の、前記キーボード下面に対面した部分を露出させる開口を有し、該キーボード下面を載せ前記キーボードを該金属部材と共同して支持する搭載部材を備えたことを特徴とする請求項１記載の電子機器。
【請求項３】
前記コネクタは、前記回路基板の、前記筐体底面側を向いた第１面に搭載されたものであり、
前記金属部材は、前記第１面側において前記コネクタを補強するとともに、前記回路基板の第２面側に回り込んで延在して前記キーボードを支持するものであることを特徴とする請求項１又は２記載の電子機器。
【請求項４】
表示パネルと、該表示パネルを保持し前記筐体に開閉自在に連結される第２筐体とをさらに備えたことを特徴とする請求項１から３のうちのいずれか１項記載の電子機器。
【発明の詳細な説明】
【技術分野】
【０００１】
本発明は、キーボードを備えた電子機器に関する。
【背景技術】
【０００２】
近年、携帯電話機、ＰＤＡ（Ｐｅｒｓｏｎａｌ  Ｄｉｇｉｔａｌ  Ａｓｓｉｓｔａｎｔ）、およびラップトップ型のパーソナルコンピュータなどといった携帯型の電子機器が広く用いられている。携帯型の電子機器は、処理の高速化や多機能化に加えて、装置の小型化・軽量化が強く要求されている。この要求に対し、電子機器は、薄型で軽量な液晶パネルを使った表示装置を採用している。また、電子機器に内蔵される電子部品は、小型化や高性能化が進められている。しかし、必要な性能を維持したまま電子部品を小型化・軽量化するのには限界がある。このため、近年では、筐体や操作子などの材質や、筐体内に各種部品を固定する構造などを工夫することによって、電子機器の小型化・軽量化が図られている。
【０００３】
筐体などを軽量化する１つの工夫は、電子部品を保護している筐体やカバーなどのうち、不要な部分を省くことである。例えば、キーボードを備えた電子機器は、ハードディスクなどといった精密な電子部品にキーボードが接触してしまわないように、電子部品の上方に、その上にキーボードが載せられるキーボード支持用の板金を備えている。電子機器を軽量化するためには、板金に代えてリブなどを用いてキーボードを筐体に固定することが好ましいと考えられる。しかし、キーボードは比較的重いうえ、ユーザのキー操作時に上から押圧される。よって、板金が省かれると、キートップを下方から支える支持力がなくなるため、キーボードの強度が不足する。また、ユーザがキーを押したときの操作感（クリック感）に物足りなさを感じてしまう。
【０００４】
この点に関し、特許文献１は、キーボードを受ける受け板に開口を設け、その開口からハードディスクドライブのブランケットの一部を露出させて、受け板およびブランケット上にキーボードを搭載する技術を開示している。この技術は、板金の一部を省くことができるとともに、ハードディスクドライブのブランケットによってキーボードを固定する強度をある程度維持できる。
【特許文献１】特開２００１−１４０６２号公報
【発明の開示】
【発明が解決しようとする課題】
【０００５】
近年では、さらなる電子機器の軽量化のため、キーボードの受け板は、板金ではなく軽量なプラスチックなどが採用される。このような電子機器では、ハードディスクドライブのブランケットのみでは、キーボードを支える支持力が不十分であり、さらにキーボードの固定強度を向上させる工夫が必要である。
【０００６】
上記事情に鑑み、本件開示の電子機器の課題は、キーボードを支える支持力を維持して、装置を軽量化することにある。
【課題を解決するための手段】
【０００７】
上記目的を達成する電子機器の基本形態は、
端縁に、嵌合面が外側を向いたコネクタが搭載されるとともに、コネクタを補強する金属部材を備えた回路基板と、
回路基板を収容し、上面にキーボード配置用の第１の開口が形成されるとともに側面に回路基板に搭載されたコネクタ嵌合面に対面した、相手コネクタとの嵌合用の第２の開口を有する筐体と、
第１の開口から外部に現れた、上面に複数のキーが配置されたキーボードとを備え、
上記金属部材が、コネクタを補強するとともに、キーボードの下にまで延在してキーボード下面の一部を支持するものであることを特徴とする。
【０００８】
従来から、コネクタには、コネクタの補強と静電気による不具合を防止する目的で、金属部材が装着されていることが一般的である。この電子機器の基本形態によると、コネクタに装着された金属部材の一部がキーボードの下にまで延在してキーボードの下面を支持するため、キーボードの下面全体を支持する板金を設ける必要がなく、キーボードを支える支持力を維持して、装置を軽量化することができる。また、コネクタの金属部材がキーボードと接触することによって、キーボードを確実に導通させることができるという利点もある。
【発明の効果】
【０００９】
以上説明したように、電子機器の基本形態によると、キーボードを支える支持力を維持して、装置を軽量化することができる。
【発明を実施するための最良の形態】
【００１０】
以下、図面を参照して、上記説明した基本形態に対する具体的な実施形態を説明する。
【００１１】
図１は、上述した電子機器の具体的な第１実施形態であるパーソナルコンピュータ１０の外観図である。
【００１２】
パーソナルコンピュータ１０は、本体ユニット２０と表示ユニット３０とを備えている。表示ユニット３０は、ヒンジ部４０によって本体ユニット２０に対して開閉自在に連結されている。図１には、表示ユニット３０が開かれた状態のパーソナルコンピュータ１０を前方から見た図が示されている。
【００１３】
本体ユニット２０は、各種情報処理を実行するためのものである。本体ユニット２０は、本体筐体２１の内部にＣＰＵやハードディスク装置などを収容している。本体筐体２１は、その上面に、キーボード２２、トラックパッド２３、左クリックボタン２４、および右クリックボタン２５等を備える。本体筐体２１は、さらに、左クリックボタン２４と右クリックボタン２５との間に、指先がなぞられることによって指紋認証を行うための指紋センサ２６を備える。
【００１４】
表示ユニット３０は、本体ユニット２０で実行された情報処理結果を表示するためのものである。表示ユニット３０は、表示筐体３１の内部に、前面に表示画面３２が広がった薄型の液晶パネルや、液晶パネル用の制御回路や、通信用のアンテナなどを収容している。
【００１５】
図２は、表示ユニット３０を閉じた状態におけるパーソナルコンピュータ１０の外観図である。
【００１６】
本体ユニット２０に対して表示ユニット３０が閉じられると、図２に示すように、表示画面３２が内側に隠蔽される。この状態では、ユーザは、表示画面３２の汚れや破損を回避して、パーソナルコンピュータ１０をコンパクトに持ち運ぶことができる。
【００１７】
図３は、パーソナルコンピュータ１０の背面および一側面を示す図である。
【００１８】
本体ユニット２０は、その背面に、放熱用の空気吹出口２２０と、コネクタ嵌合用のコネクタ開口２２１ａ，２２２ａを備える。それらコネクタ開口２２１ａ，２２２ａからＬＡＮケーブル用のコネクタ２２１と、ＵＳＢ用のコネクタ２２２が露出している。また、本体ユニット２０は、その一側面に、拡張カード装填口２１０と、モデム用のコネクタ２２３などを備える。拡張カード装填口２１０は、ＬＡＮカードなどの機能拡張用の拡張カードを装填するためのものである。尚、本体ユニット２０は、図３で示す側面と対向する側面に、ＣＤやＤＶＤ等の光ディスクを装填するための不図示の光ディスク装填口などを備える。
【００１９】
図４は、パーソナルコンピュータ１０の底面を示す図である。
【００２０】
本体ユニット２０の本体筐体２１は、上面にキーボード２２（図１参照）が嵌め込まれる。また、本体筐体２１は、キーボード２２の裏面側に回路基板が固定された上部筐体２１１と、上部筐体２１１に装着される下カバー２１２とで構成されている。また、本体筐体２１は、電池装着口２３１、ディスク装着口２４１、およびフィルタ装着口２５１を備える。電池装着口２３１は、電池パックが挿入される。ディスク装着口２４１は、ハードディスクドライブが挿入される。フィルタ装着口２５１は、ダストフィルタ２５２が装着される。ディスク装着口２４１にはディスクカバー２４２が装着される。電池装着口２３１には電池カバー２３２が装着されている。
【００２１】
パーソナルコンピュータ１０は、基本的には以上のように構成されている。
【００２２】
続いて、このパーソナルコンピュータ１０の各部について細かく説明する。
（ハードディスクドライブを装着するディスク装着口の構成）
まずは、ハードディスクドライブが装着されるディスク装着口２４１と本体筐体２１内の構成について説明する。
【００２３】
このパーソナルコンピュータ１０は、
回路基板と、
回路基板を内蔵し、底部に回路基板の一方の面の一部領域を覗かせる開口と締結用の穴とが形成された筐体と、
開口内に装着されて筐体内に収容される電子部品と、
締結用の穴に挿入されて筐体を固定する締結部材とを備え、
筐体が、開口全周に亘り開口周縁から回路基板に向かって延在した、開口内に落下した締結部材の、筐体内部への進入を防止するリブを有するという特徴がある。
【００２４】
図５は、本体筐体２１からディスク装着口２４１用のディスクカバー２４２を取り外した状態を示す図である。
【００２５】
ディスク装着口２４１には、ハードディスクドライブユニット３１０が嵌め込まれている。ハードディスクドライブユニット３１０は、ディスク装着口２４１に装填された後、複数のネジ３１２で本体筐体２１に固定される。ハードディスクドライブユニット３１０は、ハードディスクドライブ３２０とハードディスクドライブを本体筐体２１に固定する取付部材３３０を含む。ハードディスクドライブユニット３１０が本体筐体２１に固定された後、図４に示すディスクカバー２４２が本体筐体２１に取り付けられる。本体筐体２１は、上述した筐体の一例に相当する。ディスク装着口２４１は、上述した開口の一例に相当する。ネジ３１２は、上述した締結部材の一例に相当する。ハードディスクドライブユニット３１０は、上述した電子部品の一例に相当する。
【００２６】
図６は、図５に示すディスク装着口２４１からハードディスクドライブユニット３１０を取り外した状態を示す図である。図７は、ハードディスクドライブユニット３１０を示す図である。
【００２７】
図６に示すように、ハードディスクドライブユニット３１０が装着されていない状態では、本体筐体２１のディスク装着口２４１から回路基板４００の一部が露出している。ハードディスクドライブユニット３１０は、上述のように、ハードディスクドライブ３２０と取付部材３３０を含む。図７に示すように、取付部材３３０は、その側面部に設けられた穴を貫通してハードディスクドライブ３２０の側面に設けられたネジ穴に締結されるネジによってハードディスクドライブ３２０に取り付けられる。取付部材３３０は、ハードディスクドライブ３２０の長手方向の両端に板部３３１、３３２を備える。板部３３１は、複数の穴３１１を備えている。本体筐体２１は、板部３３１の複数の穴３１１それぞれに対応する位置にネジ穴４１１を備える。図５に示すネジ３１２が取付部材３３０の穴３１１を貫通して本体筐体２１のネジ穴４１１に締結されることにより、ハードディスクドライブユニット３１０が本体筐体２１に固定される。回路基板４００は、上述した回路基板の一例にあたり、本体筐体２１のネジ穴４１１は、上述した締結用の穴の一例に相当する。
【００２８】
また、本体筐体２１は、ディスク装着口２４１の縁が回路基板４００に向けて延在したリブ４１２を備えている。
【００２９】
また、下カバー２１２に設けられた穴４１３は、その穴４１３と図１０に示す回路基板４００の穴４１４を貫通して上部筐体２１１に設けられた穴に締結されるネジによって、下カバー２１２を上部筐体２１１に取り付けるためのものである。
【００３０】
取付部材３３０は、上述のように、その一端である板部３１１がネジ３１２によって本体筐体２１に固定され、他端である板部３３２はディスクカバー２４２に押圧されて本体筐体２１に固定される。
【００３１】
図８は、下カバー２１２の裏面側を示す図であり、図９は、下カバー２１２におけるディスク装着口２４１付近の拡大図である。
【００３２】
図８および図９に示すように、リブ４１２は、ディスク装着口２４１の全周に亘って下カバー２１２に形成されている。このリブ４１２は、回路基板４００に向けて延びているため、ディスク装着口２４１と本体筐体２１内部とを連結する空間を狭めることとなる。リブ４１２は、上述したリブの一例に相当する。
【００３３】
図１０は、下カバー２１２が取り外された状態の上部筐体２１１を示す図である。
【００３４】
図１０に示すように、上部筐体２１１に回路基板４００が嵌め込まれる。回路基板４００上の、ハードディスクドライブユニット３１０が装着される位置Ｐに並べて、各種電子部品で発生した熱を放熱する放熱部材４３０と、空気を送り込むファン４２０が回路基板４００上に配置されている。すなわち、放熱部材４３０およびファン４２０は、ハードディスクドライブユニット３１０との間にリブ４１２を挟む位置に配置されている。
【００３５】
図１１は、図６に示すディスク装着口２４１からハードディスクドライブユニット３１０を取り外した状態における、ディスク装着口２４１付近の拡大図である。
【００３６】
図１１に示すように、リブ４１２はディスク装着口２４１の縁から回路基板４００に向かって延びている。ネジ３１２がディスク装着口２４１内に落下してしまっても、リブ４１２によってネジ３１２の本体筐体２１の内部への進入が阻止される。これにより、作業者はすぐにネジを見つけて拾うことができる。
【００３７】
ここで、上記電子部品は、ハードディスクドライブであることが好ましい。
【００３８】
ハードディスクドライブ３２０は出荷後にも着脱されることが想定されるため、本体筐体２１にディスク装着口２４１を設けて、そのディスク装着口２４１に挿入された後でネジ止めされる。このため、パーソナルコンピュータ１０の製造時や修理時などにネジ３１２がディスク装着口２４１に落ちやすい。しかし、本実施形態は、リブ４１２によって本体筐体２１内にネジ３１２が入り込んでしまう不具合の発生を防止し、本体筐体２１を分解してネジ３１２を探すような作業効率の低下を招くことを防止できる。
【００３９】
また、上記回路基板と上記リブとの間に隙間を有することが好ましく、上記電子部品との間にリブを挟んだ位置に、隙間を通って流れる空気流を形成するファンを備えることはさらに好ましい。
【００４０】
本実施形態においては、図１１に示すように、リブ４１２と回路基板４００との間に隙間Ｓが設けられている。ハードディスクドライブ３２０は、パーソナルコンピュータ１０に搭載される電子部品の中でも発熱しやすい。本実施形態は、ハードディスクドライブ３２０で発熱した熱を含む空気を隙間Ｓを通して流し、図１０に示すファン４２０によって放熱部材４３０に誘導して本体筐体２１外に排気する。これにより、本実施形態は効率良い放熱を実現している。
【００４１】
本実施形態では、締結部材の一例としてネジの説明をしているが、圧入ピンなどの他種類の部材であってもよい。
【００４２】
以上で、ディスク装着口２４１の構成の説明を終了する。
（キーボードの装着方法）
続いて、キーボード２２を本体筐体２１に装着する方法について説明する。
【００４３】
パーソナルコンピュータ１０は、
長辺が左右に延びて上面に複数のキーが配置され、左右両端部を除く部分において長辺から突出したリブを有するキーボードと、
キーボードの左右両端部下面を支持する支持部と、
キーボードの前記リブを固定する固定部とを有し、
支持部が、キーボード左右両端部下面を、キーボード下面が下に凸となるように持ち上げた状態に支持するものであるという特徴を有している。
【００４４】
図１２は、パーソナルコンピュータ１０の、キーボード２２付近の拡大図である。
【００４５】
本体筐体２１の上部筐体２１１は、上面に開口５１１を備える。その開口５１１内にキーボード２２が装着されている。キーボード２２は、上述したキーボードの一例に相当する。
【００４６】
図１３は、パーソナルコンピュータ１０から取り外した状態のキーボード２２を示す図である。図１４は、キーボード２２を取り外した状態の本体ユニット２０を示す図である。
【００４７】
キーボード２２は、大略折り曲げ可能な柔らかい樹脂で形成されており、シートとそのシート上に所定の配列で配置された複数のキー２２ａで構成されている。また、キーボード２２は、最下面に補強のための肉薄な金属板を備える。また、キーボード２２は、キーボード２２の前側と後側の周縁の、左右両端を除く中央部分に、複数のリブ２２ｂを備える。この複数のリブ２２ｂは、本体ユニット２０の上部筐体２１１にキーボード２２を取り付けるために利用される。このリブ２２ｂは上述したリブの一例に相当する。
【００４８】
また、図１４に示すように、上部筐体２１１は、上面に開口５１１を備える。その開口５１１にキーボード２２を固定するための搭載板５０１が固定されている。搭載板５０１は、キーボード２２のリブ２２ｂが固定されるリブ穴５４１を備える。また、搭載板５０１は、各種電子部品とキーボード２２とを仕切るプラスチック製の仕切部分５３０と、仕切部分５３０の左右両端に着脱可能に取り付けられた金属製の支持部分５２０とで構成されている。リブ穴５４１は、上述した固定部の一例にあたり、支持部分５２０は、上述した支持部の一例に相当する。
【００４９】
ここで、上記支持部が金属材料からなるものであることは好ましい。また、上記支持部が上記キーボードの、下面の支持部により支持された左右両端部よりも中央寄りの部分を支持する第２の支持部を有することも好ましい。
【００５０】
本実施形態は、搭載板５０１の中央部分をプラスチック製の仕切部分５３０で構成することによって、パーソナルコンピュータ１０を軽量化している。また、本実施形態は、搭載板５０１の左右両端部分を金属製の支持部分５２０で構成することによって、キーボード２２の支持強度を高めてキー押下時の良好なクリック感を実現している。仕切部分５３０は、上述した第２の支持部の一例に相当する。
【００５１】
ここで、一旦、図１４の説明を中断し、上部筐体２１１および支持部分５２０の構成について詳しく説明する。
【００５２】
図１５は、上部筐体２１１の、支持部分５２０付近の拡大図である。
【００５３】
仕切部分５３０は、キーボード２２のリブ２２ｂが固定されるリブ穴５４１を備えている。また、仕切部分５３０は、複数の開口５３１ａ，５３１ｂも備えている。また、支持部分５２０は、リブ穴５４１の配列方向における最端のリブ穴５４１よりもさらに端部分に、上方向に突出する複数の突起５２１を備える。
【００５４】
図１６は、支持部分５２０を示す図である。図１７は、支持部分５２０が取り付けられた状態の上部筐体の裏面側を示す図である。
【００５５】
支持部分５２０は、筐体固定部５２３と、ヒンジ固定部５２２とを備える。筐体固定部５２３は、上部筐体２１１に固定される。ヒンジ固定部５２２は、ヒンジ４０に固定される。図１７に示すように、支持部分５２０は、ヒンジ固定部５２２がヒンジ４０と接続され、ヒンジ４０から遠ざかる方向に広がっている。このように、本実施形態は、金属製の支持部分５２０とヒンジ４０とを接続することによって、ヒンジ４０と上部筐体２１１とを固定する別の金属部品を不要とし、部品点数を抑えつつヒンジ４０の固定強度を高めている。
【００５６】
図１４に戻って説明する。
【００５７】
図１４に示すように、搭載板５０１は、軽量で柔らかい仕切部分５３０の左右両端に金属製の支持部分５２０を取り付けた構造である。さらに、搭載板５０１は、仕切部分５３０に設けられた複数の開口５３１ａ，５３１ｂ，５３１ｃ，５３１ｄ，５３１ｅ，５３１ｆから、光ディスクドライブ８１０、光ディスクドライブ８１０用の保持部材８１１、回路基板４００、コネクタ補強部材８２０、およびファン４２０などの一部が露出している。
【００５８】
図１８は、搭載板５０１上にキーボード２２が装着された状態を示す概念図である。
【００５９】
図１８（Ａ）は、搭載板５０１およびキーボード２２を上方から見た図を示す。図１８（Ａ）に示すように、キーボード２２のリブ２２ｂが仕切部分５３０のリブ穴５４１に挿入されることによって、キーボード２２が搭載板５０１上に装着される。キーボード２２は弾性を有しているため、リブ２２ｂがリブ穴５４１に固定されかつ支持部分５２０の突起５２１によってキーボード２２の左右両端側が上方向に押し上げられることによって、キーボード２２の中央部分が下方向に押し付けられる。このように、本実施形態は、キーボード２２の弾性力を利用してキーボード２２の中央部分を搭載板５０１に押し付けてキーボード２２の浮きを抑えている。これにより、本実施形態は、キーボード打鍵時のキーの沈み動作を防止し、長期にわたって良好なキー操作感を提供する。
【００６０】
ここで、上記支持部が、支持部上面に、キーボードの短辺方向に並ぶ複数の突起を有し、キーボードの左右両端部下面を、複数の突起で持上げた状態に支持するものであることは好ましい。
【００６１】
キーボード２２の両端を複数の突起５２１で押し上げることによって、キーボード２２と金属製の支持部分５２０との接点を増やすことができ、キーボード２２を確実に導通することができる。
【００６２】
ここで、キーボード２２の左右両端側を押し上げてキーボード下面が下に凸となるように支持する別の方法について説明する。
【００６３】
図１８（Ｂ）（Ｃ）（Ｄ）には、図１８（Ａ）とは別のバージョンにおける搭載板およびキーボードの断面図が示されている。
【００６４】
上記支持部が、支持部上面に、キーボードの短辺方向に延びるリブを有し、キーボードの左右両端部下面を、リブで持ち上げた状態に支持するものであってもよい。
【００６５】
図１８（Ｂ）では、支持部分５２０に、複数の突起５２１に替えて奥行方向（キーボード２２の短辺方向）に延びるリブ５２１´が設けられており、リブ５２１´によってキーボード２２の左右両端が持ち上げられている。このように、支持部分５２０に奥行方向に延びるリブ５２１´を形成することによって、キーボード２２の左右両端を確実に持ち上げることができる。
【００６６】
図１８（Ｃ）では、プラスチック製の仕切部分５３０＿２上に金属製の支持部分５２０＿２が載せられた搭載板５０１＿２が適用されている。支持部分５２０＿２には突起が設けられていないが、支持部分５２０＿２が仕切部分５３０＿２に対して段差を形成しており、この段差によってキーボード２２の左右両端が押し上げられている。このように、搭載板５０１＿２の、キーボード２２の左右両端に対向する部分に段差を設けることによっても、キーボード２２の撓みを防止することができる。
【００６７】
また、上記支持部が、支持部上面に、キーボードの中央部側から左右両端に向かって上り斜面に形成され、キーボードの左右両端部下面を、上り斜面でキーボードの左右両端部を持ち上げた状態に支持することも好ましい。
【００６８】
図１８（Ｄ）では、搭載板５０１＿３がプラスチック製の仕切部分５３０＿３のみで構成されているが、その仕切部分５３０＿３がキーボード２２の中央部側から左右両端に向かって上り斜面に形成されている。このように、上り斜面を使ってキーボード２２の左右両端側を押し上げるものであってもよい。
【００６９】
以上で、キーボードの装着方法の説明を終了する。
（コネクタ補強部材）
続いて、図１４にも示すコネクタ補強部材８２０について説明する。
【００７０】
パーソナルコンピュータ１０は、
端縁に、嵌合面が外側を向いたコネクタが搭載されるとともに、コネクタを補強する金属部材を備えた回路基板と、
回路基板を収容し、上面にキーボード配置用の第１の開口が形成されるとともに側面に回路基板に搭載されたコネクタ嵌合面に対面した、相手コネクタとの嵌合用の第２の開口を有する筐体と、
第１の開口から外部に現れた、上面に複数のキーが配置されたキーボードとを備え、
金属部材が、コネクタを補強するとともに、キーボードの下にまで延在してキーボード下面の一部を支持するものであるという特徴がある。
【００７１】
図１９は、図３にも示すコネクタ２２１，２２２が取り付けられた回路基板４００の第１面（下面）を示す図である。
【００７２】
コネクタ２２１，２２２は、嵌合面を外側に向けて、回路基板４００の第１面（下面）側に装着されている。また、コネクタ２２１，２２２には、静電気による不具合を防止するとともにコネクタ２２１，２２２を補強するためのコネクタ補強部材８２０が取り付けられている。コネクタ２２１，２２２は、図３に示すコネクタ嵌合用のコネクタ開口２２１ａ，２２２ａ内に嵌め込まれる。コネクタ２２１，２２２は、上述したコネクタの一例に相当する。コネクタ補強部材８２０は、上述した金属部材の一例に相当する。コネクタ嵌合用のコネクタ開口２２１ａ，２２２ａは、上述した第２の開口の一例に相当する。図１４に示すキーボード２２配置用の開口５１１は、上述した第１の開口の一例に相当する。
【００７３】
図２０は、図１９に示す回路基板４００の第２面（上面）を示す図である。
【００７４】
図２０に示すように、コネクタ補強部材８２０は、回路基板４００の第１面（下面）側から回り込んで第２面（上面）側に広がっている。回路基板４００は、この第２面側を上にして本体筐体２１に装着される。その結果、図１４に示すように、回路基板４００がキーボード２２の下面と対面する位置に配置され、搭載板５０１に設けられた開口５３１ｆからコネクタ補強部材８２０の一部が露出する。
【００７５】
ここで、上記コネクタは、回路基板の、筐体底面側を向いた第１面に搭載されたものであり、
上記金属部材は、第１面側においてコネクタを補強するとともに、回路基板の第２面側に回り込んで延在して前記キーボードを支持するものであるという形態は好ましく、
上記金属部材の、キーボード下面に対面した部分を露出させる開口を有し、キーボード下面を載せ前記キーボードを金属部材と共同して支持する搭載部材を備えたという形態も好ましい。
【００７６】
図１４に示す状態でキーボード２２が搭載板５０１上に装着されると、開口５３１ｆから露出したコネクタ補強部材８２０がキーボード２２の下面と接触する。このように、コネクタ２２１，２２２を補強するコネクタ補強部材８２０がキーボード２２の下にまで延在してキーボード２２の下面を支持する。そのため、本実施形態は、部品を増やさずにキーボード２２の支持力を向上させることができ、良好なキークリック感を提供することができる。また、金属製のコネクタ補強部材８２０がキーボード２２と接触することによって、キーボード２２を確実に導通させることができる。
【００７７】
以上で、コネクタ補強部材の説明を終了する。
（光ディスクドライブ）
続いて、図１４にも示す光ディスクドライブ８１０について説明する。
【００７８】
図２１は、本体筐体２１に収容された光ディスクドライブ８１０を示す図である。
【００７９】
光ディスクドライブ８１０に金属製の保持部材８１１が取り付けられている。その保持部材８１１が本体筐体２１の下カバー２１２に固定されることによって、下カバー２１２に装着される。
【００８０】
図２２は、光ディスクドライブ８１０を示す図である。図２３は、保持部材８１１を示す図である。図２４は、保持部材８１１が装着された光ディスクドライブ８１０を示す図である。
【００８１】
光ディスクドライブ８１０は、薄板形状を有している。保持部材８１１は、側面部８１１ａ、上面部８１１ｃおよび固定部８１１ｂとを有している。側面部８１１ａは、光ディスクドライブ６１１の側面を保持する。上面部８１１ｃは、光ディスクドライブ６１１の上面を保持する。固定部８１１ｂは、下カバー２１２に固定される。光ディスクドライブ８１０に保持部材８１１が装着されると、保持部材８１１の上面部８１１ｃが光ディスクドライブ８１０の上面に回り込んで広がる。
【００８２】
図２５は、図２１に示す光ディスクドライブ８１０を斜め方向から見た図である。
【００８３】
光ディスクドライブ８１０を本体筐体２１の下カバー２１２に装着すると、保持部材８１１の上面部８１１ｃが光ディスクドライブ８１０の上面よりも上方に位置する。図２５に示す状態で下カバー２１２に上部筐体２１１が装着され、さらにキーボード２２が搭載板５０１上に装着される。これにより、図１４に示すように、開口５３１ｂから露出した保持部材８１１がキーボード２２の下面を支持するため、キーボード２２の固定強度を向上させることができる。
【００８４】
以上で、光ディスクドライブの説明を終了する。
（拡張カード装填口）
続いて、図３にも示す拡張カード装填口２１０の構造について説明する。
【００８５】
パーソナルコンピュータ１０は、
回路基板と、
回路基板が収容され側面にカード挿入口が設けられた筐体と、
回路基板上に固定されるとともに、回路基板の、カード挿入口側の側縁よりも回路基板中央側に離れた位置に、カード挿入口に向いたカード受入口を有し、カード挿入口から挿入されてきたカードをカード受入口から受け入れて保持するカード保持部とを備え、
筐体が、カード挿入口から筐体内部に、カード受入口に近接した位置まで延び、カード挿入口に挿入されたカードをカード受入口に案内する案内リブとを有するという特徴がある。
【００８６】
図２６は、下カバー２１２を外した状態における上部筐体２１１の、拡張カード装填口２１０付近を示す図である。
【００８７】
拡張カード装填口２１０は、上部筐体２１１の側面に設けられている。拡張カードは、拡張カード装填口２１０から挿入され、回路基板４００に沿って平行に装着される。拡張カード装填口２１０は、上述したカード挿入口の一例に相当する。
【００８８】
図２７は、回路基板４００の、拡張カード保持部材が取り付けられた上面側を示す図であり、図２８は、拡張カード保持部材を斜め下方向から見た図である。
【００８９】
図２７に示すように、拡張カード保持部材６１０は、カード受入口６１１を上部筐体２１１の拡張カード装填口２１０に向けて回路基板４００上に固定されている。カード受入口６１１は、上述したカード受入口の一例に相当する。拡張カード保持部材６１０は、上述したカード保持部の一例に相当する。また、図２８に示すように、拡張カード保持部材６１０と回路基板４００との間に隙間Ｓが設けられている。その隙間ｗを利用して、回路基板４００における拡張カード保持部材６１０の搭載領域に処理チップ４００ａ（図２７参照）を搭載している。
【００９０】
ここで、上記カード保持部は、カードを、基板との間に隙間を空けて保持するものであることが好ましい。
【００９１】
拡張カード保持部材６１０と回路基板４００との間に隙間Ｓをあけて、その隙間に処理チップ４００ａを搭載することによって、装置全体を小型化することができる。
【００９２】
また、図２８に示すように、拡張カード保持部材６１０は、回路基板４００の縁Ｑよりも内側に入った位置に配置されており、カード受入口６１１と拡張カード装填口２１０との間が離れている。
【００９３】
図２９は、従来、拡張カードを装填する際に発生していた不具合を説明するための図である。
【００９４】
図２８に示すように、カード受入口６１１と拡張カード装填口２１０との間に距離があけられている場合、拡張カード装填口２１０からカード受入口６１１まで案内されない。そのため、拡張カードが拡張カード装填口２１０から斜めに入り込んでしまうことがある。その結果、図２９に示すように、拡張カード６２０がカード受入口６１１に進入せず拡張カード保持部材６１０と回路基板４００との間の隙間に入り込んでしまうことがある。このように隙間に入り込んだ拡張カードは、引っ掛かってしまって抜けなくなってしまう恐れがある。本実施形態では、拡張カード装填口２１０に挿入された拡張カード６２０をカード受入口６１１まで案内する案内リブ６３０（図３０参照）を設けることによって、このような不具合を防止する。
【００９５】
図３０は、回路基板４００が取り外された状態の上部筐体２１１の拡張カード装填口２１０付近を外側から見た図である。図３１は、拡張カード装填口２１０を内側から見た図である。
【００９６】
図３０および図３１に示すように、上部筐体２１１は、拡張カード装填口２１０から筐体内部に向けて延びた案内リブ６３０を備える。この案内リブ６３０は、拡張カード装填口２１０の回路基板４００に近い側の縁から拡張カード保持部材６１０のカード受入口６１１と近接した位置まで延びている。
【００９７】
図３２は、本実施形態において拡張カード６２０を挿入する様子を示す図である。図３３は、拡張カード保持部６１０に装着された拡張カード６２０を示す図である。
【００９８】
本実施形態においては、拡張カード装填口２１０に挿入された拡張カード６２０は、案内リブ６３０によってカード受入口６１１にまで案内され、拡張カード保持部６１０によって回路基板４００と平行に保持される。このため、拡張カード６２０が斜めに入り込んでしまって拡張カード保持部材６１０と回路基板４００との間の隙間Ｓ（図２８参照）に引っ掛かってしまう不具合を防止し、拡張カード６２０を容易に正しく装着することができる。また、筐体自体に案内リブ６３０が形成されているため、部品の増加による大型化やコストの上昇も抑えることができる。
【００９９】
ここで、上記カード保持部は、カードを基板と平行に保持するものであり、
上記案内リブは、カード保持部に保持されたカードと基板との間に延在するものであることは好ましい。
【０１００】
案内リブ６３０が拡張カード装填口２１０の回路基板４００に近い側に形成されることによって、案内リブ６３０は拡張カード保持部材６１０に保持された拡張カード６２０と回路基板４００との間に位置することとなる。このような構成によって、案内リブ６３０が図２８に示す隙間Ｓへの通路を塞ぐため、拡張カード６２０が隙間Ｓに入り込んでしまう不具合をさらに確実に防止することができる。
【０１０１】
以上で、拡張カード装填口２１０の構造の説明を終了する。
（ダストフィルタの取付構造）
続いて、図４にも示すダストフィルタ２５２の取付構造について説明する。
【０１０２】
パーソナルコンピュータ１０は、
電子機器において、
第１面に空気吹出口が形成されるとともに、第１面に交わって広がる第２面にフィルタ装着口が設けられた筐体と、
筐体内部に配置された発熱電子部品と、
筐体内部の、フィルタ装着口よりも空気吹出口寄りに配置され、フィルタ装着口側に空気流入口を有するとともに空気吹出口側に空気流出口を有し、発熱電子部品から熱を受け取り空気流入口から流入した空気に放熱して空気流出口から流出させる放熱部材と、
フィルタ装着口から筐体内に挿入されて空気流入口前面に配置され、空気中の塵埃の、空気流入口からの流入を一部阻止するフィルタ部材と、
筐体内の、放熱部材との間にフィルタ部材を挟んだ位置に配置され、筐体内の空気を空気流入口に送り込むファンとを備え、
フィルタ部材が、
空気流入口前面に配置され複数の通気口を形成するフィルタ部と、
フィルタ部の、フィルタ装着口側から見たときの筐体内部先端側において、フィルタ部の先端を支持する先端支持部と、
フィルタ部のフィルタ装着口側においてフィルタ部の後端を支持するとともにフィルタ装着口を塞ぐ蓋部とを有し、
フィルタ部材がフィルタ装着口から挿入されたときに先端支持部が空気流入口前面を通過し先端支持部が空気流入口から外れた位置で先端支持部を受けるフィルタ受部を有し、
フィルタ部材が、先端支持部がフィルタ受部に支持された状態で蓋部がフィルタ装着口を塞ぐ寸法を有するという特徴を有している。
【０１０３】
図３４は、図４に示すパーソナルコンピュータ１０の底面の、フィルタ装着口２５１付近の拡大図である。図３５は、ダストフィルタ２５２を示す図である。
【０１０４】
図３４に示すように、パーソナルコンピュータ１０の本体筐体２１は、背面側に空気吹出口２２０を備える。また、本体筐体２１は、底面にダストフィルタ２５２が挿入されるフィルタ装着口２５１を備える。空気吹出口２２０は、上述した空気吹出口の一例に相当する。フィルタ装着口２５１は、上述したフィルタ装着口の一例に相当する。
【０１０５】
また、図３５に示すように、ダストフィルタ２５２は、蓋部７１０、先端支持部７２０および複数の板部材７３０とを備える。蓋部７１０は、取手７１０ａを有する。先端支持部７２０は、フィルタ装着口２５１に差し込まれる。複数の板部材７３０は、蓋部７１０と先端支持部７２０との間で互いに平行に並び、複数の通気口Ｑを形成している。図３４に示すフィルタ装着口２５１にダストフィルタ２５２が装着されると、フィルタ装着口２５１が蓋部７１０によって塞がれる。ダストフィルタ２５２は、上述したフィルタ部材の一例に相当する。複数の板部材７３０は、上述したフィルタ部の一例に相当する。先端支持部７２０は、上述した先端支持部の一例に相当する。蓋部７１０は、上述した蓋部の一例に相当する。
【０１０６】
図３６は、ダストフィルタ２５２を取り外した状態におけるフィルタ装着口２５１を示す図である。
【０１０７】
フィルタ装着口２５１からダストフィルタ２５２を取り外すと、フィルタ装着口２５１から、図１０に示す放熱部材４３０を構成する放熱フィン４３１（図３７参照）の一部が露出する。
【０１０８】
図３７は、本体筐体２１内のフィルタ装着口２５１に対応する部分の拡大図である。図３８は、ダストフィルタ２５２を装着した状態を示す図である。
【０１０９】
本体筐体２１内には、フィルタ装着口２５１に対応するフィルタ取付位置Ｐよりも空気吹出口２２０側に配置された放熱部材４３０と、放熱部材４３０よりも本体筐体２１の内側に配置されたファン４２０が備えられている。放熱部材４３０は、フィルタ装着口２５１に対応するフィルタ取付位置Ｐよりも空気吹出口２２０側に配置されている。ファン４２０は、放熱部材４３０よりも本体筐体２１の内側に配置されている。放熱部材４３０とファン４２０は支持体９１０によって連結されている。支持体９１０は、フィルタ取付位置Ｐに、ダストフィルタ２５２の先端支持部７２０が装着されるフィルタ受部９１１を備えている。
【０１１０】
放熱部材４３０は、空気流入口４３１ａと空気流出口４３１ｂとが形成されている。空気流入口４３１ａは、並べて配置された複数の放熱フィン４３１を備え、ファン４２０から送られてきた空気を流入するものである。空気流出口４３１ｂは、本体筐体２１の空気吹出口２２０と対向する。放熱部材４３０は、上述した放熱部材の一例に相当する。ファン４２０は、上述したファンの一例に相当する。空気流入口４３１ａは、上述した空気流入口の一例に相当する。空気流出口４３１ｂは、上述した空気流出口の一例に相当する。
【０１１１】
図３８に示すように、ダストフィルタ２５２は、先端支持部７２０がフィルタ受部９１１に嵌め込まれることによって、ファン４２０と放熱部材４３０の空気流入口４３１ａとの間に配置される。
【０１１２】
ファン４２０から送られてきた空気は、ダストフィルタ２５２の複数の板部材７３０によって形成された通気口Ｑを通って放熱部材４３０の空気流入口４３１ａに達する。各種電子部品で発生した熱は、ヒートシンク４３３によって吸熱され、空気流入口４３１ａから流入した空気に伝熱される。吸熱した空気は、放熱フィン４３１それぞれに挟まれた空間を通過し、空気吹出口２２０から筐体外に排気される。
【０１１３】
図３９は、支持体９１０によって連結された放熱部材４３０とファン４２０を示す図である。
【０１１４】
図３９に示すように、支持体９１０は、フィルタ受部９１１が、放熱部材４３０の放熱フィン４３１の下端よりも下がった溝状に形成されている。このフィルタ受部９１１にダストフィルタ２５２の先端支持部７２０が嵌め込まれる。
【０１１５】
ここで、上記放熱部材と上記ファンとの双方を支持し、フィルタ受部が形成された支持体を備え、
上記フィルタ受部が、先端支持部を受け入れる溝形状に形成されているという形態は好ましい。
【０１１６】
放熱部材４３０とファン４２０との双方を支持している支持体９１０に溝を形成することによって、フィルタ受部９１１を容易に形成することができる。支持体９１０は、上述した支持体の一例に相当する。
【０１１７】
図４０は、パーソナルコンピュータ１０を、放熱部材４３０およびファン４２０が搭載された付近で切断したときの断面図である。
【０１１８】
図４０は、パーソナルコンピュータ１０の底面を上にした状態を示している。図４０に示すように、フィルタ受部９１１にダストフィルタ２５２の先端支持部７２０が入り込むことによって、ダストフィルタ２５２の複数の板部材７３０が放熱部材４３０の放熱フィン４３１よりも下側に位置している。また、ダストフィルタ２５２の複数の板部材７３０は、放熱部材４３０の放熱フィン４３１よりも長く形成されている。
【０１１９】
ここで、上記放熱部材は、空気流入口と空気流出口との双方に端面が並ぶように配列された複数の放熱フィンを有し、
上記フィルタ部は、蓋部と先端支持部との間に互いに平行に延び、放熱フィンの配列間隔よりも広い間隔で配列された複数の部材からなることが好ましい。
【０１２０】
このような構成によって、空気流入口への塵埃の進入を効率よく防止することができるとともに、ダストフィルタ２５２による空気の流れの遮断を抑えることができる。
【０１２１】
図４１は、ダストフィルタ２５２および放熱フィン４３１を空気流入口４３１ａ側から見たときの図である。
【０１２２】
図４１に示すように、ダストフィルタ２５２の複数の板部材７３０の配列間隔Ｗ２は、放熱フィン４３１の配列間隔Ｗ１よりも広い。また、放熱フィン４３１の両端よりもダストフィルタ２５２の複数の板部材７３０が外側に位置しているため、放熱フィン４３１によって構成される空気の流路が、ダストフィルタ２５２の蓋部７１０や先端支持部７２０によって阻害されない。ファン４２０によって送られてきた空気は、ダストフィルタ２５２の複数の板部材７３０の隙間を通って空気流入口４３１ａにまで達し、空気流出口４３１ｂを経て空気吹出口２２０から排気される。このように、ダストフィルタ２５２による空気の流れの遮断が抑えられるため、ダストフィルタ２５２を装着することによる放熱効率の低下を抑えて、空気流入口４３１ａに塵埃が入り込む不具合を防止することができる。
【０１２３】
ここで、上記では、電子機器の一例としてパーソナルコンピュータが示されているが、この電子機器は、ノートブック型コンピュータ、ＰＤＡ、ゲーム機、テレビ、および携帯電話機などであってもよい。
【０１２４】
また、上記では、複数の板部材が平行に配列されたダストフィルタについて説明したが、フィルタ部材のフィルタ部は、例えば網目状に形成されたものであってもよい。
【図面の簡単な説明】
【０１２５】
【図１】電子機器の具体的な第１実施形態であるパーソナルコンピュータの外観図である。
【図２】表示ユニットを閉じた状態におけるパーソナルコンピュータの外観図である。
【図３】パーソナルコンピュータの背面および一側面を示す図である。
【図４】パーソナルコンピュータの底面を示す図である。
【図５】本体筐体からディスク装着口用のカバーを取り外した状態を示す図である。
【図６】図５に示すディスク装着口からハードディスクドライブを取り外した状態を示す図である。
【図７】ハードディスクドライブを示す図である。
【図８】下カバーの裏面側を示す図である。
【図９】下カバーにおけるディスク装着口付近の拡大図である。
【図１０】下カバーが取り外された状態の上部筐体を示す図である。
【図１１】図６に示すディスク装着口からハードディスクドライブを取り外した状態における、ディスク装着口付近の拡大図である。
【図１２】パーソナルコンピュータの、キーボード付近の拡大図である。
【図１３】パーソナルコンピュータから取り外した状態のキーボードを示す図である。
【図１４】キーボードを取り外した状態の本体ユニットを示す図である。
【図１５】上部筐体の、支持部分付近の拡大図である。
【図１６】支持部分を示す図である。
【図１７】支持部分が取り付けられた状態の上部筐体の裏面側を示す図である。
【図１８】搭載板上にキーボードが装着された状態を示す概念図である。
【図１９】図３にも示すコネクタが取り付けられた回路基板の第１面（下面）を示す図である。
【図２０】図１９に示す回路基板の第２面（上面）を示す図である。
【図２１】本体筐体に収容された光ディスクドライブを示す図である。
【図２２】光ディスクドライブを示す図である。
【図２３】保持部材を示す図である。
【図２４】保持部材が装着された光ディスクドライブを示す図である。
【図２５】図２１に示す光ディスクドライブを斜め方向から見た図である。
【図２６】下カバーを外した状態における上部筐体の、拡張カード装填口付近を示す図である。
【図２７】回路基板の、拡張カード保持部材が取り付けられた上面側を示す図である。
【図２８】拡張カード保持部材を斜め下方向から見た図である。
【図２９】従来、拡張カードを装填する際に発生していた不具合を説明するための図である。
【図３０】回路基板が取り外された状態の上部筐体の拡張カード装填口付近を外側から見た図である。
【図３１】拡張カード装填口を内側から見た図である。
【図３２】本実施形態において拡張カードを挿入する様子を示す図である。
【図３３】拡張カード保持部に装着された拡張カードを示す図である。
【図３４】図４に示すパーソナルコンピュータの底面の、フィルタ装着口付近の拡大図である。
【図３５】ダストフィルタを示す図である。
【図３６】ダストフィルタを取り外した状態におけるフィルタ装着口を示す図である。
【図３７】本体筐体内のフィルタ装着口に対応する部分の拡大図である。
【図３８】ダストフィルタを装着した状態を示す図である。
【図３９】支持体によって連結された放熱部材とファンを示す図である。
【図４０】パーソナルコンピュータを、放熱部材およびファンが搭載された付近で切断したときの断面図である。
【図４１】ダストフィルタおよび放熱フィンを空気流入口側から見たときの図である。
【符号の説明】
【０１２６】
１０    パーソナルコンピュータ
２０    本体ユニット
２１    本体筐体
２２    キーボード
２２ａ    キー
２２ｂ    リブ
２３    トラックパッド
２４    左クリックボタン
２５    右クリックボタン
２６    指紋センサ
３０    表示ユニット
３１    表示筐体
３２    表示画面
４０    ヒンジ部
２１０    拡張カード装填口
２１１    上部筐体
２１２    下カバー
２２０    空気吹出口
２２１，２２２，２２３    コネクタ
２２１ａ，２２２ａ    コネクタ開口
２３１    電池装着口
２３２    電池カバー
２４１    ディスク装着口
２４２    ディスクカバー
２５１    フィルタ装着口
２５２    ダストフィルタ
３１０    ハードディスクドライブユニット
３１１    穴
３１２    ネジ
４００    回路基板
４００ａ    処理チップ
４１１    ネジ穴
４１２    リブ
４２０    ファン
４３０    放熱部材
４３１    放熱フィン
４３１ａ    空気流入口
４３１ｂ    空気流出口
５０１    搭載板
５１１    開口
５２０    支持部分
５２１    突起
５２２    ヒンジ固定部
５２３    筐体固定部
５３０    仕切部分
５３１ａ，５３１ｂ，５３１ｃ，５３１ｄ，５３１ｅ，５３１ｆ    開口
５４１    リブ穴
６１０    拡張カード保持部材
６１１    カード受入口
６２０    拡張カード
６３０    案内リブ
７１０    蓋部
７１０ａ    取手
７２０    先端支持部
７３０    板部材
８１０    光ディスクドライブ
８１１    保持部材
８１１ａ    側面部
８１１ｂ    固定部
８１１ｃ    上面部
８２０    コネクタ補強部材
９１０    支持体
９１１    フィルタ受部
【図１】
2010067193.tif 000003
【図２】
2010067193.tif 000004
【図３】
2010067193.tif 000005
【図４】
2010067193.tif 000006
【図５】
2010067193.tif 000007
【図６】
2010067193.tif 000008
【図７】
2010067193.tif 000009
【図８】
2010067193.tif 000010
【図９】
2010067193.tif 000011
【図１０】
2010067193.tif 000012
【図１１】
2010067193.tif 000013
【図１２】
2010067193.tif 000014
【図１３】
2010067193.tif 000015
【図１４】
2010067193.tif 000016
【図１５】
2010067193.tif 000017
【図１６】
2010067193.tif 000018
【図１７】
2010067193.tif 000019
【図１８】
2010067193.tif 000020
【図１９】
2010067193.tif 000021
【図２０】
2010067193.tif 000022
【図２１】
2010067193.tif 000023
【図２２】
2010067193.tif 000024
【図２３】
2010067193.tif 000025
【図２４】
2010067193.tif 000026
【図２５】
2010067193.tif 000027
【図２６】
2010067193.tif 000028
【図２７】
2010067193.tif 000029
【図２８】
2010067193.tif 000030
【図２９】
2010067193.tif 000031
【図３０】
2010067193.tif 000032
【図３１】
2010067193.tif 000033
【図３２】
2010067193.tif 000034
【図３３】
2010067193.tif 000035
【図３４】
2010067193.tif 000036
【図３５】
2010067193.tif 000037
【図３６】
2010067193.tif 000038
【図３７】
2010067193.tif 000039
【図３８】
2010067193.tif 000040
【図３９】
2010067193.tif 000041
【図４０】
2010067193.tif 000042
【図４１】
2010067193.tif 000043